(57)【要約】【課題】食パンの耳を切取るための道具を別途準備する必要がなく、食感の良い美味しいサンドイッチを容易に作成することができる。【解決手段】サンドイッチ作成セット１は、上方が開口した箱状の容器２と、容器２に収容されたサンドイッチ用の具材３と、を備える。容器２は、開口側面２２ａの外周縁が食パンの外周縁よりも小さく、かつ、食パンの耳部を除いたときの外周縁よりも大きい。容器２は、開口２３の周縁上端に、食パンに押付けて食パンの耳を切取るための尖り部２４を有する。具材３が収容された容器２の開口２３は、フィルム状部材４によりラップされている。フィルム状部材４を取り除いて容器２の尖り部２４を食パンに押付けることにより、食パンの耳を切取ることができ、容器２を取り除くことにより、耳のない食パン上に具材３を載せたものを得ることができる。【選択図】図２
2019037414.tif 000002
【特許請求の範囲】
【請求項１】
サンドイッチを作成するためのサンドイッチ作成セットであって、
上方が開口した箱状の容器と、
前記容器に収容されたサンドイッチ用の具材と、を備え、
前記容器は、その開口側面の外周縁が食パンの外周縁よりも小さく、かつ、食パンの耳部を除いたときの外周縁よりも大きく、
前記容器は、前記開口の周縁上端に、食パンに押付けて食パンの耳を切取るために用いられる尖り部を有し、
前記具材が収容された容器の開口は、フィルム状部材によりラップされており、
前記フィルム状部材を取り除いた容器の尖り部を食パンに押付けることにより食パンの耳を切取り、かつ、前記容器を取り除くことにより、食パン上に具材を載せることができる、ことを特徴とするサンドイッチ作成セット。
【請求項２】
前記容器は、その底部に、前記具材を押出すために用いられる具材押出し孔を有する、ことを特徴とする請求項１に記載のサンドイッチ作成セット。
【請求項３】
請求項１又は請求項２に記載のサンドイッチ作成セットを用いたサンドイッチ作成方法であって、
前記フィルム状部材を取り除いた前記具材が収容された前記容器の上に食パンを載せた状態から上下を反転させ、前記容器の尖り部を食パンに押付けることにより、食パンの耳を切取って、前記容器内で食パンを具材上に重ね合せる第１の重ね合せステップと、
前記第１の重ね合せステップで重ね合せた食パンと具材を前記容器から取出す取出しステップと、
前記取出しステップで食パンと具材を取出した後の容器の尖り部を前記食パンとは別の食パンに押付けることにより、この食パンの耳を切取る切取りステップと、
前記取出しステップで取出した食パンと具材のうちの具材上に、前記切取りステップで耳を切取った別の食パンを重ね合せる第２の重ね合せステップと、を備えるサンドイッチ作成方法。
【発明の詳細な説明】
【技術分野】
【０００１】
本発明は、サンドイッチを作成するためのサンドイッチ作成セット及びそのサンドイッチ作成セットを用いたサンドイッチ作成方法に関する。
【背景技術】
【０００２】
従来から、一般に、サンドイッチは、食パンの間に具材を挟んだ状態に作成されたものがフィルム状部材に包装されて販売されている。このようなサンドイッチは、販売時に既に食パンと具材とが触れ合った状態に重ねられている。また、包丁を用いて容易にサンドイッチの耳を切取ることができるサンドイッチ調理器が知られている（例えば特許文献１参照）。このサンドイッチ調理器は、包丁で食パンの耳を切取るための切断ガイド溝を容器の四方側面に有しており、調理器内に食パンと具材とを重ねて入れ、包丁を切断ガイド溝に差し込んで食パンの耳を切取って、サンドイッチを作成するものである。
【先行技術文献】
【特許文献】
【０００３】
【特許文献１】実用新案登録第３１０６９１５号公報
【発明の概要】
【発明が解決しようとする課題】
【０００４】
ところで、一般に販売されているサンドイッチにおいては、販売時に既に食パンと具材とが重ねられているため、すなわち、ユーザがサンドイッチを食べるよりも前に食パンと具材とが重ねられているため、具材の水分によって食パンがべとつき、食感や美味しさが損なわれる虞がある。また、特許文献１に記載の調理器においては、この調理器の他に、サンドイッチの耳を切るために包丁などの道具を別途準備する必要があり、ユーザにとって手間がかかる。
【０００５】
本発明は、上記課題を解決するものであり、食パンの耳を切取るための道具を別途準備する必要がなく、容易に食感の良い美味しいサンドイッチを作成することができるサンドイッチ作成セット及びサンドイッチ作成方法を提供することを目的とする。
【課題を解決するための手段】
【０００６】
上記目的を達成するために本発明のサンドイッチ作成セットは、サンドイッチを作成するためのサンドイッチ作成セットであって、上方が開口した箱状の容器と、容器に収容されたサンドイッチ用の具材と、を備え、容器は、その開口側面の外周縁が食パンの外周縁よりも小さく、かつ、食パンの耳部を除いたときの外周縁よりも大きく、容器は、開口の周縁上端に、食パンに押付けて食パンの耳を切取るために用いられる尖り部を有し、具材が収容された容器の開口は、フィルム状部材によりラップされており、フィルム状部材を取り除いた容器の尖り部を食パンに押付けることにより食パンの耳を切取り、かつ、容器を取り除くことにより、食パン上に具材を載せることができる、ものである。
【０００７】
本発明のサンドイッチ作成セットにおいて、容器は、その底部に、具材を押出すために用いられる具材押出し孔を有する、ことが好ましい。
【０００８】
また、本発明のサンドイッチ作成方法は、請求項１又は請求項２に記載のサンドイッチ作成セットを用いたサンドイッチ作成方法であって、フィルム状部材を取り除いた具材が収容された容器の上に食パンを載せた状態から上下を反転させ、容器の尖り部を食パンに押付けることにより、食パンの耳を切取って、容器内で食パンを具材上に重ね合せる第１の重ね合せステップと、第１の重ね合せステップで重ね合せた食パンと具材を容器から取出す取出しステップと、取出しステップで食パンと具材を取出した後の容器の尖り部を前記食パンとは別の食パンに押付けることにより、この食パンの耳を切取る切取りステップと、取出しステップで取出した食パンと具材のうちの具材上に、切取りステップで耳を切取った別の食パンを重ね合せる第２の重ね合せステップと、を備える、ものである。
【発明の効果】
【０００９】
本発明によれば、サンドイッチ用の具材が収容された容器の尖り部を食パンに押付けるだけで、食パンに具材を載せると同時に食パンの耳を切取ることができ、容易に食感の良い美味しいサンドイッチを作成することができる。
【図面の簡単な説明】
【００１０】
【図１】本発明の一実施形態に係るサンドイッチ作成セットの斜視図。
【図２】同サンドイッチ作成セットの側断面図。
【図３】同サンドイッチ作成セットを用いたサンドイッチ作成方法を説明する図。
【図４】同サンドイッチ作成方法の続きを説明する図。
【図５】同サンドイッチ作成方法のさらに続きを説明する図。
【図６】同サンドイッチ作成方法のさらに続きを説明する図。
【図７】同サンドイッチ作成方法のさらに続きを説明する図。
【図８】同サンドイッチ作成方法により作成されたサンドイッチを皿の上に置いた状態を示す図。
【発明を実施するための形態】
【００１１】
以下、本発明を具体化した実施形態によるサンドイッチ作成セット及びサンドイッチ作成方法について図面を参照して説明する。図１及び図２は、サンドイッチ作成セットの構成を示す。サンドイッチ作成セット１は、食パンの耳を切取るための道具を別途準備する必要がなく、食感の良い美味しいサンドイッチを容易に作成することができるようにしたものである。サンドイッチ作成セット１は、上方が開口した箱状の容器２と、容器２に収容されたサンドイッチ用の具材３と、を備える。
【００１２】
容器２は、市販の複数枚にスライスされた食パンの一片の外形サイズよりも僅かに小さい形状の矩形の底部２１と、底部２１の周縁から垂直に立ち上がる４つの側壁部２２とを有し、底部２１の反対側が開口２３とされている。４つの側壁部２２は、その上端までの高さが一定である。容器２は、側壁部２２の内壁面である開口側面２２ａの外周縁が一片の食パンの外周縁よりも小さく、かつ、食パンの耳部を除いたときの外周縁よりも大きい。一般的に、食パンの一辺の長さは１０ｃｍ前後であり、本実施形態では、開口側面２２ａの横方向長さ、すなわち、開口２３の一辺の長さを９ｃｍとしている。また、容器２は、開口２３の周縁上端（側壁部２２の上端）に、食パンに押付けて食パンの耳を切取るために用いられる尖り部２４を有する。尖り部２４は、食パンの耳を切取ることができるように、その先端は、安全上、手指を切らない程度に尖っている。また、容器２は、底部２１に、容器２内の具材３を押出すために用いられる具材押出し孔２５を有する。容器２は、折れ曲って変形しない程度の強度を有した樹脂製又は厚紙製とすればよい。
【００１３】
具材３は、具材３の収容上面から尖り部２４の先端までの間隔（空間）が食パン１枚分の厚みに相当するように容器２内に収容されている。つまり、具材３の収容上面から尖り部２４の先端までの間に、食パン１枚分の厚みに相当するスペースが設けられている。一般的に、食パンの厚みは約１ｃｍほどであり、本実施形態では、具材３の収容上面から尖り部２４の先端までの間隔を１ｃｍとしている。容器２の開口２３は、フィルム状部材４によりラップされている。本実施形態では、開口２３を含む容器２の全体をラップしている。フィルム状部材４は、容器２内の具材３が見えるように、透明な部材である。
【００１４】
サンドイッチ作成セット１は、フィルム状部材４を取り除いた容器２の尖り部２４を食パンに押付けることにより食パンの耳を切取り、かつ、容器２を取り除くことにより、耳のない食パン上に具材３を載せたものを作成することができる。サンドイッチ作成セット１は、容器２に具材３を収容したもの単独の形態、又は、容器２に具材３を収容したものと食パンとを組み合せた形態で販売され得る。単独の形態で販売される場合、食パンはユーザが別途準備する。また、組み合せた形態で販売される場合には、具材３と食パンとを分けてラップしておくのが好ましい。こうすることにより、サンドイッチを作成するまで具材３と食パンとが触れ合うことがなく、具材３の水分によって食パンがべとつくのを防ぐことができる。
【００１５】
図３乃至図８は、サンドイッチ作成セット１を用いたサンドイッチ作成方法を示す。まず、図３（ａ）に示すように、サンドイッチ作成セット１のフィルム状部材４を取り除く。続いて、図３（ｂ）に示すように、具材３が収容された容器２の上に食パン５を載せる。すなわち、食パン５で容器２の開口２３を塞ぐように、かつ、食パン５の耳５ａが容器２の尖り部２４よりも外側に位置するように、食パン５を容器２の開口２３側に載せる。続いて、図３（ｃ）に示すように、この状態から上下を反転させ、図４（ｄ）に示すように、食パン５を下側、容器２を上側にして、皿６の上に置く。このとき、容器２内の具材３は、容器２内で食パン５上に落下していることもあるし（図示）、落下していないこともある。続いて、図４（ｅ）に示すように、両手で容器２の底部２１を皿６に向けて押して、容器２の尖り部２４を食パン５に押付けることにより、食パン５の耳５ａを切取る。このとき、容器２内で、耳５ａを切取った食パン５を具材３上に重ね合せることにもなる。こうして、具材３が収容された容器２の尖り部２４を食パン５に押付けるだけで、食パン５に具材３を載せると同時に食パン５の耳を切取ることができる。ここで、図４（ｆ）に示すように、切取った耳５ａを取り除く。図３（ａ）から図４（ｆ）までの手順が第１の重ね合せステップである。
【００１６】
続いて、図５（ｇ）に示すように、例えばスプーンなどの道具７を用い、道具７を容器２の具材押出し孔２５に挿入し、道具７で容器２内の具材３を押さえながら、容器２を手で持って引き上げる。これにより、図５（ｈ）に示すように、容器２を取り除いて、耳５ａのない食パン５と具材３とを重ねたものが、具材３を上側にして皿６上に置かれた状態となる。図５（ｇ）から図５（ｈ）までの手順が取出しステップである。
【００１７】
次に、図６（ａ）に示すように、前記食パン５とは別の食パン８を前記とは別の皿９の上に置き、この食パン８の上に、前記食パン５と具材３を取出して空になった容器２を載せる。容器２は、尖り部２４を下側にして、尖り部２４が食パン８の耳８ａよりも内側に位置するように、食パン８の上に載せる。続いて、図６（ｂ）に示すように、両手で容器２の底部２１を皿９に向けて押して、容器２の尖り部２４を食パン８に押付けることにより、食パン８の耳８ａを切取る。ここで、図６（ｃ）に示すように、切取った耳８ａを取り除く。図６（ａ）から図６（ｃ）までの手順が切取りステップである。
【００１８】
続いて、図７（ｄ）に示すように、例えばスプーンなどの道具７を用い、道具７を容器２の具材押出し孔２５に挿入し、道具７で容器２内の食パン８を押さえながら、容器２を手で持って引き上げる。これにより、図７（ｅ）に示すように、容器２を取り除いて、耳８ａのない食パン８が皿９上に置かれた状態となる。最後に、図８に示すように、皿６の上に取出した食パン５と具材３（図５（ｈ））の上に、別の食パン８を重ね合せる。これにより、耳のない食パン５と食パン８の間に具材３を挟んだサンドイッチ１０が完成する。図７（ｄ）から図８までの手順が第２の重ね合せステップである。
【００１９】
さらには、サンドイッチ作成セット１を２つ準備して、図５（ｈ）に示した食パンに具材３を載せた状態のものを２つ作成し、これらを具材３が内側になるように重ね合せれば、具材の量や種類を増やすことができる。また、サンドイッチ作成セット１を２つ準備して、１つのサンドイッチ作成セット１で図８に示したサンドイッチを作成し、もう１つのサンドイッチ作成セットで図５（ｈ）に示したサンドイッチを作成し、図８に示したサンドイッチの上に、図５（ｈ）に示したサンドイッチを具材３を下側にして重ね合せれば、中間に食パンを挟んで具材を二重に持つサンドイッチを作成することができる。また、図５（ｈ）に示した食パン５と具材３とを重ねたサンドイッチであってもよい。また、食パンは、冷蔵すると硬くなって耳を切取り易くなるので、サンドイッチを作成する前に冷蔵しておいてもよい。
【００２０】
本実施形態のサンドイッチ作成セット１及びサンドイッチ作成方法によれば、サンドイッチを食べる直前まで具材３と食パンとを分けておき、食べる直前に具材３と食パンとを重ねればよいので、具材３の水分による食パンのべとつきを抑えることができ、食感の良い美味しいサンドイッチを作成することができる。また、容器２を用いて食パンの耳を切取るため、食パンの耳を切取るための道具を別途準備する必要がない。しかも、容器２の尖り部２４を食パンに押付けるだけで、食パンの耳を切取ることができ、これと同時に、食パンと具材３とを重ね合せることができるので、容易にサンドイッチを作成することができる。また、具材３を容器２に収容したまま冷蔵することにより、味及び食感を維持することができ、また、腐敗を防止することができる。また、食べる直前まで具材３と食パンとを分けておくことができるので、水分の多い食材も具材３に使え、バリエーションを増やすことができる。
【００２１】
なお、本発明は、上記実施形態の構成に限られず、種々の変形が可能である。例えば、フィルム状部材４に代えて、容器２の開口２３を覆う蓋を備えていてもよい。この場合、蓋の大きさを食パンよりも大きいものとすれば、蓋を皿６、９の代用とすることができる。また、サンドイッチ作成セット１は、容器２から具材３を押出すための道具７が付属されていてもよい。また、上記では、容器２内に具材３がその上方に空間を残して収容されている例を示したが、食パンに容器２を押付けるときに具材３が圧縮されるものであれば、上記空間は必ずしも必要でない。
【符号の説明】
【００２２】
１      サンドイッチ作成セット
２      容器
３      具材
４      フィルム状部材
５      食パン
５ａ    食パンの耳
６      皿
７      道具
８      食パン
８ａ    食パンの耳
９      皿
１０    サンドイッチ
２１    底部
２２    側壁部
２２ａ  開口側面
２３    開口
２４    尖り部
２５    具材押出し孔
【図１】
2019037414.tif 000003
【図２】
2019037414.tif 000004
【図３】
2019037414.tif 000005
【図４】
2019037414.tif 000006
【図５】
2019037414.tif 000007
【図６】
2019037414.tif 000008
【図７】
2019037414.tif 000009
【図８】
2019037414.tif 000010